【手続補正書】
【提出日】平成17年9月6日(2005.9.6)
【手続補正１】
【補正対象書類名】明細書
【補正対象項目名】発明の名称
【補正方法】変更
【補正の内容】
【発明の名称】広角高倍ズームレンズ及びそれを用いた撮影装置
【手続補正２】
【補正対象書類名】明細書
【補正対象項目名】特許請求の範囲
【補正方法】変更
【補正の内容】
【特許請求の範囲】
【請求項１】  物体側から順に、正のパワーを有する第１レンズ群と、負のパワーを有する第２レンズ群と、正のパワーを有する第３レンズ群と、負のパワーを有する第４レンズ群と、正のパワーを有する第５レンズ群とを有し、前記第４レンズ群が１枚のレンズから構成される広角高倍ズームレンズにおいて、
前記全てのレンズ群の間隔を変えることで変倍を行い、前記第１レンズ群は、広角端の位置よりも望遠端の位置で物体側にあるように移動することを特徴とする広角高倍ズームレンズ。
【請求項２】  前記第３レンズ群が、少なくとも１枚の負レンズと２枚以下の正レンズを有し、全体として３枚以下のレンズから構成されていることを特徴とする請求項１に記載の広角高倍ズームレンズ。
【請求項３】  前記第５レンズ群が２枚以下のレンズから構成されていることを特徴とする請求項１に記載の広角高倍ズームレンズ。
【請求項４】  物体側から順に、正のパワーを有する第１レンズ群と、負のパワーを有する第２レンズ群と、正のパワーを有する第３レンズ群と、負のパワーを有する第４レンズ群と、正のパワーを有する第５レンズ群とを有する広角高倍ズームレンズにおいて、
前記全てのレンズ群の間隔を変えることで変倍を行い、前記第１レンズ群は、広角端の位置よりも望遠端の位置で物体側にあるように移動し、広角端から望遠端への変倍に際して、前記第４レンズ群と前記第５レンズ群との間隔が増大のみすることを特徴とする広角高倍ズームレンズ。
【請求項５】  物体側から順に、正のパワーを有する第１レンズ群と、負のパワーを有する第２レンズ群と、正のパワーを有する第３レンズ群と、正のパワーを有する第４レンズ群とを有し、前記全てのレンズ群の間隔を変えることで変倍を行い、前記第１レンズ群は、広角端の位置よりも望遠端の位置で物体側にあるように移動する広角高倍ズームレンズにおいて、
前記第３レンズ群は正の前群と負の後群とからなり、前記第３レンズ群後群は１枚のレンズから構成され、前記第３レンズ群の前群と後群が変倍時に独立に移動することを特徴とする広角高倍ズームレンズ。
【請求項６】  次の条件式（１）を満足することを特徴とする請求項１から５の何れか１項記載の広角高倍ズームレンズ。
０．１＜Ｌg4／ｆW ＜０．４５                          ・・・（１）
ただし、Ｌg4は第４レンズ群の厚さ、ｆW は広角端での全系焦点距離である。
【請求項７】  次の条件式（２）と（３）を満足することを特徴とする請求項１から４の何れか１項記載の広角高倍ズームレンズ。
０．８＜ＲＨ5W／ＲＨ4W＜３．０                        ・・・（２）
１．０＜ＲＨ5T／ＲＨ4T＜３．５                        ・・・（３）
ただし、ＲＨ4Wは広角端での第４レンズ群最後面を射出する最軸外主光線の高さ、ＲＨ5Wは広角端での第５レンズ群最前面に入射する最軸外主光線の高さ、ＲＨ4Tは望遠端での第４レンズ群最後面を射出する最軸外主光線の高さ、ＲＨ5Tは望遠端での第５レンズ群最前に入射する最軸外主光線の高さである。
【請求項８】  次の条件式（４）と（５）を満足することを特徴とする請求項１から４の何れか１項記載の広角高倍ズームレンズ。
０．３＜Ｄ45W ／ｆW ＜０．８                          ・・・（４）
０．１７＜Ｄ45T ／ｆT ＜０．５                        ・・・（５）
ただし、Ｄ45W は広角端での第４レンズ群と第５レンズ群の間隔、Ｄ45T は望遠端での第４レンズ群と第５レンズ群の間隔、ｆW は広角端での全系焦点距離、ｆT は望遠端での全系焦点距離である。
【請求項９】  次の条件式（６）を満足することを特徴とする請求項１から５の何れか１項記載の広角高倍ズームレンズ。
９．０＜ｆ1 ／ｆW ＜２０．０                          ・・・（６）
ただし、ｆ1 は第１レンズ群の焦点距離、ｆW は広角端での全系焦点距離である。
【請求項１０】  次の条件式（７）を満足することを特徴とする請求項１から５の何れか１項記載の広角高倍ズームレンズ。
−１．７＜ｆ2 ／ｆW ＜−１．４                        ・・・（７）
ただし、ｆ2 は第２レンズ群の焦点距離、ｆW は広角端での全系焦点距離である。
【請求項１１】  次の条件式（８）を満足することを特徴とする請求項１から５の何れか１項記載の広角高倍ズームレンズ。
１．０＜ｆ3 ／ｆW ＜４．０                            ・・・（８）
ただし、ｆ3 は第３レンズ群の焦点距離、ｆW は広角端での全系焦点距離である。
【請求項１２】  次の条件式（９）を満足することを特徴とする請求項１から４の何れか１項記載の広角高倍ズームレンズ。
−５．５＜ｆ4 ／ｆW ＜−０．５                        ・・・（９）
ただし、ｆ4 は第４レンズ群の焦点距離、ｆW は広角端での全系焦点距離である。
【請求項１３】  次の条件式（１０）を満足することを特徴とする請求項１から４の何れか１項記載の広角高倍ズームレンズ。
１．０＜ｆ5 ／ｆW ＜６．０                          ・・・（１０）
ただし、ｆ5 は第５レンズ群の焦点距離、ｆW は広角端での全系焦点距離である。
【請求項１４】  第１レンズ群内の少なくとも１枚の正レンズが次の条件式（１１）及び（１２）を満足することを特徴とする請求項１から５の何れか１項記載の広角高倍ズームレンズ。
Ｎd11 ＜１．５３                                    ・・・（１１）
νd11 ＞６８                                        ・・・（１２）
ただし、Ｎd11 は第１レンズ群中の少なくとも１枚の正レンズのｄ線に対する屈折率、νd11 は第１レンズ群中の少なくとも１枚の正レンズのｄ線に対するアッベ数である。
【請求項１５】  第２レンズ群が第１副群と第２副群からなり、第１副群は像面側に凹面を向けた負メニスカスレンズを有し、第２副群は物体側から負レンズ・正レンズの順の接合レンズを有し、その接合レンズの接合面が物体側に凸面を向けていることを特徴とする請求項１から５の何れか１項記載の広角高倍ズームレンズ。
【請求項１６】  第３レンズ群中の負レンズは他のレンズと接合されていることを特徴とする請求項１から５の何れか１項記載の広角高倍ズームレンズ。
【請求項１７】  第３レンズ群の最も物体側に非球面が配置されていることを特徴とする請求項１から５の何れか１項記載の広角高倍ズームレンズ。
【請求項１８】  第３レンズ群中の少なくとも１枚の正レンズが次の条件式（１３）及び（１４）を満足することを特徴とする請求項１から５の何れか１項記載の広角高倍ズームレンズ。
Ｎd31 ＜１．５３                                    ・・・（１３）
νd31 ＞７８                                        ・・・（１４）
ただし、Ｎd31 は第３レンズ群中の少なくとも１枚の正レンズのｄ線に対する屈折率、νd31 は第３レンズ群中の少なくとも１枚の正レンズのｄ線に対するアッベ数である。
【請求項１９】  第４レンズ群の１枚のレンズは単レンズであり、次の条件式（１５）を満足することを特徴とする請求項１から３の何れか１項記載の広角高倍ズームレンズ。
０．５＜ＳＦ4g                                      ・・・（１５）
ただし、ＳＦ4g＝（Ｒf ＋Ｒb ）／（Ｒf −Ｒb ）であり、ここで、Ｒf は第４レンズ群レンズ前面の光軸上曲率半径、Ｒb は第４レンズ群レンズレンズ後面の光軸上曲率半径である。
【請求項２０】  第５レンズ群が正レンズと負レンズの接合レンズからなることを特徴とする請求項１から４の何れか１項記載の広角高倍ズームレンズ。
【請求項２１】  第５レンズ群中に非球面を有することを特徴とする請求項１から４の何れか１項記載の広角高倍ズームレンズ。
【請求項２２】  次の条件式（１６）を満足することを特徴とする請求項１から５の何れか１項記載の広角高倍ズームレンズ。
０．４＜Δβ3 ／Δβ2 ＜２．０                      ・・・（１６）
ただし、Δβ2 は第２レンズ群の変倍比、Δβ3 は第３レンズ群の変倍比である。
【請求項２３】  次の条件式（１７）を満足することを特徴とする請求項１から５の何れか１項記載の広角高倍ズームレンズ。
１０．０＜ＬW ／ＩＨ＜２０．０                      ・・・（１７）
ただし、ＬW は広角端での全系全長、ＩＨは最大像高である。
【請求項２４】  次の条件式（１８）を満足することを特徴とする請求項１から４の何れか１項記載の広角高倍ズームレンズ。
０．０５＜ｄ45W ／ｆ5 ＜０．２５                    ・・・（１８）
ただし、ｄ45W は広角端での第４群と第５群の間隔、ｆ5 は第５レンズ群の焦点距離である。
【請求項２５】  絞りを有し、前記絞りが第３レンズ群と一体で移動することを特徴とする請求項１から５の何れか１項記載の広角高倍ズームレンズ。
【請求項２６】  第１レンズ群が物体側に凸の負レンズと、物体側に凸の正レンズの２枚のレンズからなることを特徴とする請求項１から５の何れか１項記載の広角高倍ズームレンズ。
【請求項２７】  絞りを有すると共に、次の条件式（１９）から（２２）を満足することを特徴とする請求項１から５の何れか１項記載の広角高倍ズームレンズ。
ＮdFS ＜１．５３                                    ・・・（１９）
νdFS ＞７８                                        ・・・（２０）
ＮdRS ＜１．５３                                    ・・・（２１）
νdRS ＞７８                                        ・・・（２２）
ただし、ＮdFS は絞りより前に配置される少なくとも１枚のレンズのｄ線に対する屈折率、νdFS は絞りより前に配置される少なくとも１枚のレンズのｄ線に対するアッベ数、ＮdRS は絞りより後に配置される少なくとも１枚のレンズのｄ線に対する屈折率、νdRS は絞りより後に配置される少なくとも１枚のレンズのｄ線に対するアッベ数である。
【請求項２８】  第２レンズ群が、物体側から、負レンズ、負レンズ、負レンズ、正レンズの４枚からなることを特徴とする請求項１から５の何れか１項記載の広角高倍ズームレンズ。
【請求項２９】  第２レンズ群の物体側から１枚目と２枚目のレンズが像面側に凹面を向けた負メニスカスレンズからなることを特徴とする請求項２８記載の広角高倍ズームレンズ。
【請求項３０】  次の条件式（２３）を満足することを特徴とする請求項２８又は２９記載の広角高倍ズームレンズ。
１．０≦ＳＦ22                                      ・・・（２３）
ただし、ＳＦ22＝（Ｒf ＋Ｒb ）／（Ｒf −Ｒb ）であり、ここで、Ｒf は第２レンズ群の物体側から２枚目のレンズの前面の光軸上曲率半径、Ｒb は第２レンズ群の物体側から２枚目のレンズの後面の光軸上曲率半径である。
【請求項３１】  前記第２レンズ群は接合面を有する接合レンズを有し、次の条件式（２４）を満足することを特徴とする請求項１から５の何れか１項記載の広角高倍ズームレンズ。
−２．０＜Ｒ2ce ／ｆ2 ＜−０．５                    ・・・（２４）
ただし、Ｒ2ce は第２レンズ群の接合面の光軸上曲率半径、ｆ2 は第２レンズ群の焦点距離である。
【請求項３２】  第２レンズ群中に非球面を有することを特徴とする請求項１から５の何れか１項記載の広角高倍ズームレンズ。
【請求項３３】  次の条件式（２５）を満足することを特徴とする請求項１から５の何れか１項記載の広角高倍ズームレンズ。
１．４＜Ｒ1b／Ｒ2f＜３．０                          ・・・（２５）
ただし、Ｒ1bは第１レンズ群最終面の光軸上曲率半径、Ｒ2fは第２レンズ群最前面の光軸上曲率半径である。
【請求項３４】  次の条件式（２６）を満足することを特徴とする請求項１から３３の何れか１項記載の広角高倍ズームレンズ。
４＜Ｚ＜１５                                        ・・・（２６）
ただし、Ｚは変倍比である。
【請求項３５】  次の条件式（２７）を満足することを特徴とする請求項１から３４の何れか１項記載の広角高倍ズームレンズ。
３０°＜ωW ＜４７°                                ・・・（２７）
ただし、ωW は広角端半画角である。
【請求項３６】  請求項１から３５の何れか１項記載の広角高倍ズームレンズと、その像側に配された電子撮像素子とを備えたことを特徴とする撮像装置。
【手続補正３】
【補正対象書類名】明細書
【補正対象項目名】０００１
【補正方法】変更
【補正の内容】
【０００１】
【発明の属する技術分野】
本発明は、広角高倍ズームレンズ及びそれを用いた撮影装置に関し、特に、広角端の対角画角が７０°以上という広画角で、変倍比が５〜１０倍という高変倍比で、高い結像性能を有し、コンパクトでレンズ枚数が少なく安価な例えば撮像装置用のズームレンズとそれを用いた撮影装置に関するものである。
【手続補正４】
【補正対象書類名】明細書
【補正対象項目名】００１１
【補正方法】変更
【補正の内容】
【００１１】
本発明は従来技術のこのような問題点に鑑みてなされたものであり、その目的は、強いパワーの負レンズを独立して可動な第４群に配置して光線を跳ね上げる作用を担わせ、その結果第３群内に強いパワーの負レンズを配置する必要がなくなり収差変動を最小限に抑えて、従来より少ない枚数で広画角、高変倍、高画質の４群ないし５群ズームレンズとそれを用いた撮影装置を提供することである。
【手続補正５】
【補正対象書類名】明細書
【補正対象項目名】０２２８
【補正方法】変更
【補正の内容】
【０２２８】
【発明の効果】
以上の説明から明らかなように、本発明によると、強いパワーの負レンズを独立して可動な第４群に配置して光線を跳ね上げる作用を担わせ、その結果第３群内に強いパワーの負レンズを配置する必要がなくなり収差変動を最小限に抑えて、従来より少ない枚数で広画角、高変倍、高画質の４群ないし５群ズームレンズとそれを用いた撮影装置を提供することができる。